(57)【要約】【課題】  電子カードの円滑な挿入および排出操作を長期にわたって確保し、長寿命化を図り得る電子カード用コネクタを提供する。【解決手段】  電子カードコネクタは、絶縁本体５、シールド部材６、押付けアセンブリ７を含む。絶縁本体は、前進部、位置決め部、および戻り部を備える一方向トラック５４を含む。シールド部材は、前進部に対応するスプリング板６０を含む。スプリング板の自由端は、前進部に向けて湾曲し、位置決め部に向かう傾斜部６０２が形成されている。押付けアセンブリは、一方向トラックおよびスプリング板のそれぞれにスライド自在に移動するための第１突出部７２１および第２突出部７２２を備えるガイドレバー７２を含む。電子カード８が挿入されるときには、第２突出部は位置決め部に静止するように傾斜部によってガイドされ、電子カードが排出されるときには、第１突出部は戻り部において前進部へ戻るようにガイドされる。【選択図】  図１
0003106638.tif 000002
【実用新案登録請求の範囲】
【請求項１】
電子カードの挿入および排出が自在な電子カード用コネクタであって、
絶縁本体と、前記絶縁本体をカバーするシールド部材と、押付けアセンブリと、を有し、
前記絶縁本体は、ベースと、当該ベースの２つの端部のそれぞれから垂直に伸びる細長い第１アームと細長い第２アームと、を含み、前進部、位置決め部、および戻り部を備える一方向トラックが前記第１アームに連続的に形成され、前記第１アームおよび前記第２アームが電子カードを受け入れるためのオープンスペースを構成し、
前記シールド部材は、前記一方向トラックに対応するスプリング板を含み、前記スプリング板の自由端は、前記前進部に向けて湾曲して前記位置決め部に向かう傾斜部が形成され、
前記押付けアセンブリは、弾性部材と、スライドメンバと、ガイドレバーと、を含み、前記弾性部材の一端は前記第１アームに取り付けられ、前記弾性部材の他端は前記スライドメンバに接続され、前記ガイドレバーは、その一端が前記スライドメンバに回動自在に接続され、他端には、前記一方向トラックおよび前記スプリング板のそれぞれにおいてスライド自在に移動する第１突出部および第２突出部を備えてなり、
電子カードが挿入されるときに、前記第２突出部が前記傾斜部によってガイドされて前記位置決め部に静止し、電子カードが排出されるときに、前記第１突出部が前記前進部に戻る前記戻り部内でガイドされてなる電子カード用コネクタ。
【請求項２】
前記絶縁本体はさらに、前記第１アームおよび前記第２アームのそれぞれに形成された対応するスロットを含んでなる請求項１に記載の電子カード用コネクタ。
【請求項３】
前記一方向トラックは、当該一方向トラックによって取り囲まれる位置決めブロックを形成し、当該位置決めブロックは、前記位置決め部に沿う凹所を備えてなる請求項１に記載の電子カード用コネクタ。
【請求項４】
前記シールド部材は、前記位置決めブロックの前記凹所に対応する停止部を含んでなる請求項３に記載の電子カード用コネクタ。
【請求項５】
前記停止部は、不等辺的なＶ字形状の窪みを形成するように、前記スプリング板の前記傾斜部上に一体的に形成されてなる請求項４に記載の電子カード用コネクタ。
【請求項６】
前記スプリング板に隣接して形成され、前記戻り部に対応する形状をなす直通スロットをさらに有してなる請求項４に記載の電子カード用コネクタ。
【請求項７】
前記スプリング板は、前記前進部に対応する凹型レールを含んでなる請求項１に記載の電子カード用コネクタ。
【請求項８】
前記戻り部は、前記前進部との接続部分において前記前進部よりも高い位置に表面を有するように立ち上がるスロープが形成されてなる請求項１に記載の電子カード用コネクタ。
【請求項９】
前記第１アームはスライドレールを含み、前記スライドメンバは、接触部と、前記スライドレールに配置されるスライドラックを備えるスライド部と、を含んでなる請求項１に記載の電子カード用コネクタ。
【請求項１０】
前記スライドメンバは、前記第１アームにスライド自在に取り付けられ、前記弾性部材を備え付けるための部屋が形成されてなる請求項１に記載の電子カード用コネクタ。
【考案の詳細な説明】
【技術分野】
【０００１】
本考案は、電子カード用コネクタに係り、さらに詳しくは、電子カードを押して挿入することができ、挿入された電子カードを再度押すことによって当該電子カードを排出することができる電子カード用コネクタに関する。
【背景技術】
【０００２】
近年、様々なタイプの電子カードが、携帯電話、デジタルカメラ、パーソナル携帯情報機器のような電子製品に用いられている。例えば、コンパクトフラッシュ（登録商標）カード（ＣＦカード）、マルチメディアカード（ＭＭＣ）、およびＳＤメモリカードなどの半導体メモリーカードが、一般的に多用されている。電子カードと電子製品との間の電気的な接続、およびデータ通信を確立できるように、電子カードと電子製品との間の接続、および位置決めを提供するための種々の電子カード用コネクタが開発されている。しかしながら、電子カードの挿入、および排出操作を頻繁に行わなければならないので、コネクタには、反復的な操作を維持するための高い耐久性が要求されている。
【０００３】
図１０は、従来の電子カード用コネクタを示す斜視図、図１１は、図１０に示されるＡ部を拡大して示す斜視図である。
【０００４】
図１０に示すように、電子カード４は、コネクタに押し込んで、当該コネクタに接続することができる。コネクタは、絶縁本体１、シールドシェル２、および押付けアセンブリ３を含んでいる。
【０００５】
シールドシェル２は、シールド効果を付与するために絶縁本体１の上に配置される。
【０００６】
絶縁本体１は、ベース１０を含み、当該ベース１０は、対向する２つの端部のそれぞれから垂直に伸びる第１アーム１１と第２アーム１２とを備えている。ベース１０、第１アーム１１、および第２アーム１２は、電子カード４を受け入れるための空間１３を構成している。図１１に示すように、ベース１０上の第２アーム１２が伸びる端部において、一方向トラック１４が形成されている。一方向トラック１４は、ループを形成するように、前進部１４１と、位置決め部１４２と、戻り部１４３と、を含んでいる。ガイドレバー３２の下方に向けて曲がっているヘッド３２１は、一方向トラック１４の中で、一方向に動くことができようになっている。一方向トラック１４に隣接するとともに当該一方向トラック１４によって取り囲まれているものが位置決めブロック１４４である。位置決めブロック１４４は、前進部１４１、位置決め部１４２、および戻り部１４３のそれぞれの輪郭を作る、第１側面、第２側面、および第３側面を有している。すなわち、位置決めブロック１４４の第１側面は、前進部１４１に沿って伸び、窪んだ輪郭をなす第２側面で終わっており、前進部１４１の端部に達した下方に向けて曲がっているヘッド３２１が凹所１４５に静止ないし止まるようになっている。位置決めブロック１４４の第３側面は、第１側面と平行をなす第１部分と、第１側面に合流するために曲げられた第２部分と、を有している。
【０００７】
押付けアセンブリ３は、スプリング３０と、スライドメンバ３１と、ガイドレバー３２とを有している。スプリング３０の一端は第２アーム１２に取り付けられ、スプリング３０の他端はスライドメンバ３１に接続されている。スライドメンバ３１は、第２アーム１２が伸びる方向に沿って動くことができる。スライドメンバ３１の動きは、空間１３に電子カード４を挿入したり空間１３から電子カード４を排出したりすることによって作動する。このように動かされるスライドメンバ３１に、ガイドレバー３２の端部が接続されている。したがって、電子カード４を押して空間１３に挿入するとき、レバーヘッド３２１は、前進部１４１の端部の方に向けて動くように押される。レバーヘッド３２１が前進部１４１の端部に達した後、当該レバーヘッド３２１は、スプリング３０からの付勢力によって、位置決め部１４２の中に移動させるために引っ込められる。位置決め部１４２の凹所構造は、凹所１４５にレバーヘッド３２１を引っ掛ける。このようにして、電子カード４がコネクタ内に適切に位置決めされる。電子カード４をコネクタに向けて再び押すことによって、レバーヘッド３２１は、凹所１４５から戻り部１４３に向けて押し出される。レバーヘッド３２１は、スプリング３０が付勢する復元力によって、戻り部１４３に沿って動き、電子カード４に対する排出力を作り出す。これにより、電子カード４が、コネクタから排出され得る。
【０００８】
電子カード４の反復的な挿入および排出操作は、レバーヘッド３２１と絶縁本体１の一方向トラック１４との間の摩擦を作り出す。ガイドレバー３２は一般的に金属材料から製造されているので、当該ガイドレバー３２上の摩耗は大きな問題となる。さらに詳しくは、前進部１４１と位置決め部１４２との分岐点１４６が、最も容易に摩滅される。前進部１４１と位置決め１４２との分岐点１４６がひどく摩滅すると、電子カード４の挿入および排出の円滑なあるいは通常の操作が阻害されることになる。
【考案の開示】
【考案が解決しようとする課題】
【０００９】
本考案の目的は、電子カードの挿入および排出操作に伴って生じる摩耗や損傷を低減することにより、電子カードの円滑な挿入操作および排出操作を長期にわたって確保し、長寿命化を図り得る改良された電子カード用コネクタを提供することにある。
【課題を解決するための手段】
【００１０】
本考案の電子カード用コネクタは、絶縁本体と、シールド部材と、押付けアセンブリと、を有している。絶縁本体は、ベースと、当該ベースの２つの端部のそれぞれから垂直に伸びる細長い第１アームと細長い第２アームと、を含んでいる。前進部、位置決め部、および戻り部を備える一方向トラックが第１アーム上に連続的に形成されている。第１アームおよび第２アームは、電子カードを受け入れるためのオープンスペースを構成している。絶縁本体をおおうシールド部材は、一方向トラックの前進部に対応する凹型レールを備えるスプリング板を含んでいる。スプリング板の自由端は、前進部に向けて湾曲し、位置決め部に向かう傾斜部が形成されている。押付けアセンブリは、弾性部材と、スライドメンバと、ガイドレバーと、を含んでいる。弾性部材は、その一端が第１アームに取り付けられ、他端がスライドメンバに接続されている。ガイドレバーは、その一端がスライドメンバに回動自在に接続され、他端には、一方向トラックおよびスプリング板の凹型レールのそれぞれにおいてスライド自在に移動する第１突出部および第２突出部を備えている。電子カードが挿入されるときに、第２突出部が傾斜部によってガイドされて位置決め部に静止ないし止まり、電子カードが排出されるときに、第１突出部が前進部に戻る戻り部内でガイドされる。
【考案の効果】
【００１１】
本考案の改良された電子カード用コネクタにあっては、電子カードの挿入および排出操作に伴って絶縁本体や押付けアセンブリに生じる摩耗や損傷が低減されるので、電子カードの円滑な挿入操作および排出操作を長期にわたって確保でき、コネクタの長寿命化を図ることが可能となる。
【考案を実施するための最良の形態】
【００１２】
以下、本考案の実施形態を図面を参照しつつ説明する。
【００１３】
図１は、本考案に係る改良された電子カード用コネクタを示す分解斜視図、図２は、図１の要部を拡大して示す斜視図、図３は、図１に示される電子カード用コネクタを部分的にアセンブリした状態を示す斜視図、図４は、図３の要部を示す平面図、図５は、図４の５−５線に沿う断面図である。また、図６は、電子カード用コネクタの第１の操作状態を示す図、図７は、電子カード用コネクタの第２の操作状態を示す図、図８は、電子カード用コネクタの第３の操作状態を示す図である。
【００１４】
図１、図２および図３を参照して、本考案に係る、電子カード８を挿入、排出するためコネクタは、絶縁本体５と、シールドシェル（シールド部材に相当する）６と、押付けアセンブリ７と、を含んでいる。
【００１５】
絶縁本体５は、ベース５０と、当該ベース５０の２つの端部のそれぞれから垂直に伸びる細長い第１アーム５１と細長い第２のアーム５２と、を含んでいる。第１アーム５１および第２アーム５２のそれぞれには、対応するスロット５１１、５２１が形成されている。ベース５０、第１アーム５１、および第２アーム５２は、電子カード８を受け入れるためのオープンスペース５３を構成している。一方向トラック５４が、第１アーム５１が伸びる端部においてベース５０に形成されている。一方向トラック５４は、ループを形成するように、前進部５４１と、位置決め部５４２と、戻り部５４３と、を含んでいる。一方向トラック５４に隣接して当該一方向トラック５４によって取り囲まれているものが位置決めブロック５４４である。位置決めブロック５４４は、前進部５４１、位置決め部５４２、および戻り部５４３のそれぞれの輪郭を作る、第１側面、第２側面、および第３側面を有している。すなわち、位置決めブロック５４４の第１側面は、前進部５４１に沿って伸び、凹所５４５によって輪郭が作られる第２側面に続き、戻り部５４３に沿って伸びる第３側面で終わっている。一方向トラック５４の戻り部５４３は、位置決め部５４２に接続している端部から隆起するスロープを形成している。したがって、戻り部５４３における前進部５４１に接続している他端は、前進部５４１よりも高くなっている。さらに、第１アーム５１には、スライドレール５１２が形成されている。
【００１６】
シールドシェル６は、電磁波障害（ＥＭＩ）を防ぐために、絶縁本体１を覆うのに使用される。シールドシェル６は、一方向トラック５４の前進部５４１に対応する凹型レール６０１を備えるスプリング板６０を含んでいる。スプリング板６０の自由端は、前進部５４１に向けて下方に湾曲し、位置決め部５４２に向かう傾斜部６０２が形成されている。シールドシェル６はさらに、位置決めブロック５４４の凹所５４５に対応する停止部６１を含んでいる。
【００１７】
押付けアセンブリ７は、コイルスプリングからなる弾性部材７０と、スライドメンバ７１と、ガイドレバー７２と、を含んでいる。弾性部材７０は、その一端が第１アーム５１に取り付けられ、他端がスライドメンバ７１にしっかりと接続されている。スライドメンバ７１は、スライドラック７１３を備えるスライド部７１１と、接触部７１２と、を含んでいる。スライドラック７１３は、第１アーム５１のスライドレール５１２の中に配置される。スライドメンバ７１は、第１アーム５１上にスライド自在に取り付けられ、弾性部材７０を内部に備え付けるための部屋７１４が形成されている。スライドメンバ７１はさらに、ガイドレバー７２の一端に接続されるピボット軸７１５を含んでいる。ガイドレバー７２の他端は、Ｔ字形状をなし、一方向トラック５４にスライド自在に設けられる下方突出部７２１（第１突出部に相当する）と、スプリング板６０の凹型レール６０１にスライド自在に設けられる上方突出部７２２（第２突出部に相当する）とを有している。
【００１８】
図４および図５に示されるように、電子カード８が初めて押されるとき、電子カード８は、空間５３に挿入され、第１と第２のアーム５１、５２のスロット５１１、５１２に沿って移動し、スライドメンバ７１の接触部７１２を押す。したがって、スライドメンバ７１が前方に向けて動き、ガイドレバー７２の前方への動きが作られる。次に、ガイドレバー７２の下方突出部７２１は、前進部５４１においてガイドされて動く。前進部５４１および戻り部５４３の接続間の高さによって、下方突出部７２１が戻り部５４３の中に向けて移動することが防止されている。一方、ガイドレバー７２の上方突出部７２２は、シールドシェル６のスプリング板６０の凹型レール６０１においてガイドされて動き、スプリング板６０を持ち上げることになる。したがって、スプリング板６０の弾発力によって上方突出部７２２が押し下げられるので、ガイドレバー７２は、一方向トラック５４の前進部５４１に沿ってよりしっかりとガイドされながら移動することになる。
【００１９】
図６および図７に示すように、電子カード８が挿入されている。ガイドレバー７２の上方突出部７２２は、スプリング板６０がそのノーマル位置に開放されるように、スプリング板６０を通過する。したがって、上方突出部７２２は、スプリング板６０の傾斜部６０２に接触している。その後、弾性部材７０から付勢される弾発力によって、スライドメンバ７１はガイドレバー７２を後ろに動かすために引っ込められ、上方突出部７２２は傾斜部６０２に沿って動かされ、シールドシェル６の停止部６１に静止ないし止められるようになる。一方、下方突出部７２１は、一方向トラック５４の位置決め部５４２に動いて位置決めブロック５４４の凹所５４５に静止するために、位置決めブロック５４４における前進部５４１と位置決め部５４２との分岐点５４６を通り過ぎる。このように、ガイドレバー７２がスプリング板６０によって位置決め部５４２にガイドされ、分岐点５４６の摩滅が避けられる。
【００２０】
図８に示すように、電子カード８が次に押されると、電子カード８が空間５３から排出される。図示するように、電子カード８を押す力は、スライドメンバ７１の接触部７１２を再び押すことになる。ガイドレバー７２の下方突出部７２１は、凹所５４５から離れ去り、位置決め部５４２を通って戻り部５４３に向けて動く。弾性部材７０が付勢する復原力によって、ガイドレバー７２は戻り部５４３に沿って動き、スライドメンバ７１は、接触部７１２を介して電子カード８に対する排出力を作り出す。したがって、電子カード８は、コネクタから排出され得る。
【００２１】
以上説明したように、本実施形態の電子カード用コネクタによれば、電子カード８の挿入および排出操作に伴って絶縁本体５や押付けアセンブリ７に生じる摩耗や損傷が低減されるので、電子カード８の円滑な挿入操作および排出操作を長期にわたって確保でき、コネクタの長寿命化を図ることが可能となる。
【００２２】
図９は、シールドシェルの他の実施形態を示す斜視図である。
【００２３】
図９には、シールドシェルの他の好ましい実施形態が示されている。図示するように、シールドシェル６の停止部６１’は、不等辺的なＶ字形状の窪みを形成するように、スプリング板６０の傾斜部６０２上に一体的に形成されている。さらに、スプリング板６０に隣接して、一方向トラック５４の戻り部５４３に対応する形状をなす直通スロット６２が形成されている。ガイドレバー７２が傾斜部６０２に沿って位置決め部５４２に動くと、下方突出部７２１は位置決めブロック５４４の凹所５４５に位置し、上方突出部７２２は停止部６１’に位置する。このように、信頼性の高い位置決めが達成され、直通スロット６２は、ガイドレバー７２を開始点まで円滑に戻すガイドを提供する。
【００２４】
前進部１４０に金属シート１５を取り付けることによって、ガイドヘッドおよびガイドヘッド３００を引っ掛けるための凹んだ曲線状をなす前面１５３の両者を金属材料から形成すると、絶縁本体１の一方向トラック１４は、ガイドヘッド３００の動きによって摩滅されないであろう。したがって、コネクタの寿命が長くなる。
【００２５】
なお、上述した実施形態は本考案の理解のために示されるものであり、本考案を限定するものではない。本考案の電子カード用コネクタは、各部材の形状、構造、寸法、材料や製造工程のタイプにおいて種々の改変を施すことができる。
【産業上の利用可能性】
【００２６】
電子カードを押して挿入することができ、挿入された電子カードを再度押すことによって当該電子カードを排出することができる電子カード用コネクタに適用できる。
【図面の簡単な説明】
【００２７】
【図１】本考案に係る改良された電子カード用コネクタを示す分解斜視図である。
【図２】図１の要部を拡大して示す斜視図である。
【図３】図１に示される電子カード用コネクタを部分的にアセンブリした状態を示す斜視図である。
【図４】図３の要部を示す平面図である。
【図５】図４の５−５線に沿う断面図である。
【図６】電子カード用コネクタの第１の操作状態を示す図である。
【図７】電子カード用コネクタの第２の操作状態を示す図である。
【図８】電子カード用コネクタの第３の操作状態を示す図である。
【図９】シールドシェルの他の実施形態を示す斜視図である。
【図１０】従来の電子カード用コネクタを示す斜視図である。
【図１１】図１０に示されるＡ部を拡大して示す斜視図である。
【符号の説明】
【００２８】
５        絶縁本体、
５０      ベース、
５１      第１アーム、
５１１    スロット、
５１２    スライドレール、
５２      第２アーム、
５２１    スロット、
５３      オープンスペース、
５４      一方向トラック、
５４１    前進部、
５４２    位置決め部、
５４３    戻り部、
５４４    位置決めブロック、
５４５    凹所、
６        シールドシェル（シールド部材）、
６０      スプリング板、
６０１    凹型レール、
６０２    傾斜部、
６１      停止部、
６１’    停止部、
６２      直通スロット、
７        押付けアセンブリ、
７０      弾性部材、
７１      スライドメンバ、
７１１    スライド部、
７１２    接触部、
７１３    スライドラック、
７１４    部屋、
７１５    ピボット軸、
７２      ガイドレバー、
７２１    下方突出部（第１突出部）、
７２２    上方突出部（第２突出部）、
８        電子カード。
【図１】
0003106638.tif 000003
【図２】
0003106638.tif 000004
【図３】
0003106638.tif 000005
【図４】
0003106638.tif 000006
【図５】
0003106638.tif 000007
【図６】
0003106638.tif 000008
【図７】
0003106638.tif 000009
【図８】
0003106638.tif 000010
【図９】
0003106638.tif 000011
【図１０】
0003106638.tif 000012
【図１１】
0003106638.tif 000013